(57)【要約】【課題】外ガイド式の振り出し竿において、分離できるようにして洗った後に干しやすくすると共に竿の調子の崩れも防止する。【解決手段】竿体の外側に釣糸ガイドを備えた外ガイド式の振り出し竿であって、複数の竿体のうち所定の竿体３は継ぎ合わせ部３３を有する分割竿体であり、該分割竿体は、継ぎ合わせ部３３で前後二つに分割接合可能に構成されており、継ぎ合わせ部３３は筒状の印籠芯３４を有する印籠継ぎの構成であって、分割竿体よりも前側の竿体１，２の竿本体１０，２０が印籠芯３４の内側を挿通可能である。【選択図】図１
2018191524.tif 000002
【特許請求の範囲】
【請求項１】
竿体の外側に釣糸ガイドを備えた外ガイド式の振り出し竿であって、
複数の竿体のうち所定の竿体は継ぎ合わせ部を有する分割竿体であり、該分割竿体は、継ぎ合わせ部で前後二つに分割接合可能に構成され、継ぎ合わせ部は筒状の印籠芯を有する印籠継ぎの構成であることを特徴とする振り出し竿。
【請求項２】
分割竿体は、穂先竿から元上竿までの何れかの竿体であり、継ぎ合わせ部は、分割竿体の後半部分に設けられている請求項１記載の振り出し竿。
【請求項３】
分割竿体は、前後に移動可能な一又は複数の遊動ガイドを備えており、最も後側に位置する遊動ガイドの停止位置よりも後側に継ぎ合わせ部が設けられている請求項２記載の振り出し竿。
【請求項４】
分割竿体は、穂先竿と元竿との間に位置する中間竿であり、分割竿体よりも前側の竿体の竿本体が印籠芯の内側を挿通可能である請求項３記載の振り出し竿。
【請求項５】
分割竿体の竿本体は、一本の竿本体が継ぎ合わせ部となる位置で二本に切断された構成であり、分割竿体の竿本体は、継ぎ合わせ部において後側に向けて拡径するテーパ形状であって、そのテーパ形状に対応して印籠芯は後側に向けて拡径するテーパ形状である請求項４記載の振り出し竿。
【発明の詳細な説明】
【技術分野】
【０００１】
本発明は、竿体の外側に釣糸ガイドを備えた外ガイド式の振り出し竿に関する。
【背景技術】
【０００２】
複数の竿体が引き出し格納自在に構成された振り出し竿は、穂先側の竿体を元竿に格納した状態で持ち運ぶことができるため、並継ぎ竿に比して機動性に優れているという利点がある。例えば、釣竿にリールを取り付けて釣糸を釣糸ガイドに通した状態のままで、穂先側の竿体を元竿に格納した格納状態とすることができ、その格納状態のままで釣り場まで運んだり、あるいは、次の釣り場まで移動したりすることができる。その一方、外ガイド式の振り出し竿は、竿体の外側に釣糸ガイドを備えた構成であるため、複数の竿体を分離、分解できないという点で並継ぎ竿に比して不便であった。例えば、釣行後に釣竿を洗って干す場合、竿体を全て引き出して長い状態で干すことになるため、干しにくい。
【０００３】
これに対して、下記特許文献１では、前後の竿体同士のジョイント部に結合具を設けて、その結合具を取り外すことにより後側の竿体から前側の竿体を分離できるようにした構成が提案されている。しかしながら、ジョイント部に結合具を設ける構成であって、後側の竿体の前端部の内側に結合具の中空部を差し込む構成であるため、後側の竿体から前側の竿体にかけての竿の調子が崩れやすいという問題がある。また、下記特許文献２では、竿本体の外側に継ぎ手を被せて、その継ぎ手によって穂先竿を二番竿から分離できるようにした構成が提案されている。しかしながら、竿本体の外側に継ぎ手を被せる構成であるため、やはり竿の調子が崩れやすいという問題がある。
【先行技術文献】
【特許文献】
【０００４】
【特許文献１】特開２００１−６９８７９号公報
【特許文献２】特開２０００−２０１５８５号公報
【発明の概要】
【発明が解決しようとする課題】
【０００５】
それゆえに本発明は上記従来の問題点に鑑みてなされ、外ガイド式の振り出し竿において、分離できるようにして洗った後に干しやすくすると共に竿の調子の崩れも防止することを課題とする。
【課題を解決するための手段】
【０００６】
本発明は上記課題を解決すべくなされたものであって、本発明に係る振り出し竿は、竿体の外側に釣糸ガイドを備えた外ガイド式の振り出し竿であって、複数の竿体のうち所定の竿体は継ぎ合わせ部を有する分割竿体であり、該分割竿体は、継ぎ合わせ部で前後二つに分割接合可能に構成され、継ぎ合わせ部は筒状の印籠芯を有する印籠継ぎの構成であることを特徴とする。尚、穂先側を前側とし、竿尻側を後側とする。
【０００７】
該構成の振り出し竿にあっては、分割竿体がその途中の位置である継ぎ合わせ部において前後二つに分割できる。そのため、振り出し竿の全体を、分割竿体の継ぎ合わせ部よりも穂先側に位置する部分と、分割竿体の継ぎ合わせ部よりも竿尻側に位置する部分とに分離できる。従って、振り出し竿を二つに分離した状態で干すことができる。また、継ぎ合わせ部が筒状の印籠芯を有する印籠継ぎの構成であるため曲がりやすく、所望の調子を容易に得ることができる。
【０００８】
特に、分割竿体は、穂先竿から元上竿までの何れかの竿体であり、継ぎ合わせ部は、分割竿体の後半部分に設けられていることが好ましく、分割竿体を含めて穂先竿から元上竿までスムーズなベンディングカーブが得られる。
【０００９】
更に、分割竿体は、前後に移動可能な一又は複数の遊動ガイドを備えており、最も後側に位置する遊動ガイドの停止位置よりも後側に継ぎ合わせ部が設けられていることが好ましく、ガイドセッティングを乱すことなく分割竿体を前後に分割できる。
【００１０】
また更に、分割竿体は、穂先竿と元竿との間に位置する中間竿であり、分割竿体よりも前側の竿体の竿本体が印籠芯の内側を挿通可能であることが好ましい。分割竿体が中間竿であると、振り出し竿を二つに分離した状態の個々の長さが短くなって、より一層容易に干すことができる。そして、印籠芯の内側を前側の竿体の竿本体が挿通できるので、短い格納状態とすることができる。上述のように継ぎ合わせ部が後半部分に設けられているので、竿本体の内側に印籠芯が存在する構成であっても、竿の調子を崩すことなく前側の竿体が印籠芯の内側を挿通する構成とすることができる。
【００１１】
更に、分割竿体の竿本体は、一本の竿本体が継ぎ合わせ部となる位置で二本に切断された構成であり、分割竿体の竿本体は、継ぎ合わせ部において後側に向けて拡径するテーパ形状であって、そのテーパ形状に対応して印籠芯は後側に向けて拡径するテーパ形状であることが好ましい。該構成では、分割竿体の竿本体が、一本の竿本体を継ぎ合わせ部となる位置で切断して構成されているので、継ぎ合わせ部よりも前側の竿本体と継ぎ合わせ部よりも後側の竿本体を別々に製造する必要がない。そのため、継ぎ合わせ部よりも前側の竿本体を製造するためのマンドレルと、継ぎ合わせ部よりも後側の竿本体を製造するためのマンドレルを別々に準備する必要もなく、マンドレルは一本で済む。また、分割竿体の竿本体のテーパ形状に対応して印籠芯がテーパ形状となっているので、分割竿体の継ぎ合わせ部をストレート形状ではなく自然なテーパ形状とすることができ、所望の調子を出しやすい。
【発明の効果】
【００１２】
以上のように、継ぎ合わせ部で分割接合可能な分割竿体を備えているので、振り出し竿を分割竿体の継ぎ合わせ部で二つに分離した状態で干すことができ、干す場所の制約が少なくなる。また、継ぎ合わせ部が印籠継ぎの構成となっているので、竿の調子が崩れにくく、スムーズなベンディングカーブが得られる。
【図面の簡単な説明】
【００１３】
【図１】本発明の一実施形態における振り出し竿の伸張状態を示す正面図。
【図２】同振り出し竿の格納状態を示す正面図。
【図３】同振り出し竿の竿構成を示す分解図。
【図４】図１のＡ部の拡大断面図であって、（ａ）は接合状態を示し、（ｂ）は分割状態を示す。
【図５】同振り出し竿の要部拡大図であって、（ａ）は接合状態を示し、（ｂ）は分割状態を示す。
【図６】同振り出し竿の要部拡大図であって分割状態を示す。
【発明を実施するための形態】
【００１４】
以下、本発明の一実施形態に係る振り出し竿について図１〜図６を参酌しつつ説明する。尚、以下の説明において、穂先側を前側と、竿尻側を後側と称する。本実施形態における振り出し竿は、図３にその竿構成を分解図で示しているように、合計四本の竿体から構成されている。具体的には、最も穂先側に位置する竿体である穂先竿１と、該穂先竿１の直ぐ後側に位置する竿体である二番竿２と、二番竿２の直ぐ後側に位置する竿体である三番竿３と、該三番竿３の直ぐ後側に位置し、最も竿尻側に位置する竿体である元竿４とを備えている。二番竿２と三番竿３は、穂先竿１と元竿４の間に位置する中間竿である。二番竿２は穂持ち竿とも称され、三番竿３は元竿４の直ぐ前側に位置する竿体であるので元上竿とも称される。尚、竿体の呼び名の数字は穂先竿１を一番目として後側に順に大きくなっていく。穂先竿１の竿本体１０の主として前半部分は中空状でも中実状であってもよい。穂先竿１を除く他の竿体２，３，４の竿本体２０，３０，４０は何れも中空状である。また、本実施形態では四本の竿体１，２，３，４から構成されているが、本数は任意である。
【００１５】
四本の竿体１，２，３，４は、それぞれ所定長さのジョイント部５を形成しつつ互いの端部同士が内周面と外周面の摩擦力によって継ぎ合わせられて図１のような伸張状態（引き出し状態）とされる。各竿体１，２，３，４の竿本体１０，２０，３０，４０は、前側から後側に向けて徐々に所定の拡径率（勾配）で拡径したテーパ形状である。但し、元竿４の竿本体４０については径一定のストレート形状であってもよく、少なくとも穂先竿１の竿本体１０、二番竿２の竿本体２０及び三番竿３の竿本体３０は全体としてテーパ形状とされる。元竿４の前端部所定長さ領域の内側に三番竿３の後端部所定長さ領域が重なり合って継合し、三番竿３の前端部所定長さ領域の内側に二番竿２の後端部所定長さ領域が重なり合って継合し、二番竿２の前端部所定長さ領域の内側に穂先竿１の後端部所定長さ領域が重なり合って継合する。図２に振り出し竿の格納状態を示している。この格納状態において、穂先竿１は二番竿２の内側に収納され、二番竿２は三番竿３の内側に収納され、三番竿３は元竿４の内側に収納される。
【００１６】
穂先竿１は、その前端部にトップガイド１１を備えている。該トップガイド１１は、固定ガイドの一種であって、竿本体１０の前端部に移動不能に固着されている。また、穂先竿１は、トップガイド１１よりも後側に一又は複数の遊動ガイド１２，１３，１４，１５を備えている。本実施形態において、穂先竿１は、四つの遊動ガイド１２，１３，１４，１５を備えている。遊動ガイド１２，１３，１４，１５は、それぞれ竿本体１０に対して移動可能に構成されていて、それぞれ予め定められた停止位置である竿本体１０の所定位置に摩擦により位置固定される。即ち、遊動ガイド１２，１３，１４，１５は、竿本体１０の外周面の所定位置に摩擦により停止してそれ以上後側には移動できない状態となって位置固定される。
【００１７】
二番竿２は、一つの固定ガイド２１と一つの遊動ガイド２２を備えている。固定ガイド２１は、二番竿２の前端部に備えられていて、遊動ガイド２２は固定ガイド２１の後側に位置していて、固定ガイド２１から後側に所定距離離れた所定の停止位置に位置固定される。三番竿３は、二番竿２と同様に一つの固定ガイド３１と一つの遊動ガイド３２を備えている。固定ガイド３１は、三番竿３の前端部に備えられていて、遊動ガイド３２は、固定ガイド３１の後側に位置し、固定ガイド３１から後側に所定距離離れた所定の停止位置に位置固定される。三番竿３の遊動ガイド３２は、この振り出し竿において最も後側に位置する釣糸ガイドであり、この遊動ガイド３２よりも後側には釣糸ガイドは存在しない。
【００１８】
元竿４は、図示しないリールを取り付けるためのリールシート４１を備えている。本実施形態における振り出し竿は、スピニングリールを取り付けて使用するタイプの竿であり、従って、リールシート４１はスピニングリールを取り付けるのに適した仕様となっている。但し、両軸リールを取り付ける構成のリールシート４１であってもよい。リールシート４１は、元竿４の後部（後側半分）に装着されている。リールシート４１は筒状のものであって、竿本体４０の外側に直接あるいはスペーサを介して固定されている。元竿４の前端部には固定ガイドが存在せず、元竿４は釣糸ガイドを備えていない。元竿４の後端部には尻栓４２が装着されている。
【００１９】
本実施形態において三番竿３が継ぎ合わせ部３３を有する分割竿体となっていて、三番竿３は、継ぎ合わせ部３３において前後に二分割できる。即ち、三番竿３は、継ぎ合わせ部３３で分割接合可能に構成されていて、継ぎ合わせ部３３よりも前側の部分である前部竿体３ａと、継ぎ合わせ部３３よりも後側の部分である後部竿体３ｂとから構成されている。前部竿体３ａの後端部と後部竿体３ｂの前端部が互いに前後方向に沿って接合可能であり、接合状態から前後に分離可能である。図１〜図３は三番竿３を接合した状態を示している。また、図４（ａ）及び図５（ａ）には継ぎ合わせ部３３を接合した状態を示しており、図４（ｂ）及び図５（ｂ）には継ぎ合わせ部３３を分割した状態を示している。継ぎ合わせ部３３は、三番竿３の全長のうち後半部分（後部）に設けられている。後半部分とは、中央部よりも後側の部分である。継ぎ合わせ部３３は、遊動ガイド３２の停止位置（遊動ガイド３２が最も後側に移動したときの位置）よりも後側に設けられている。また、図１のように、三番竿３を元竿４から前側に引き出した状態において、継ぎ合わせ部３３は、ジョイント部５と遊動ガイド３２の停止位置との間に位置し、継ぎ合わせ部３３とジョイント部５との間の長さは、継ぎ合わせ部３３とジョイント部５との間の部分を把持できる程度の長さ、具体的には片手の把持できる長さであって、従って、人差し指から小指までの距離に相当する長さ以上が好ましく、例えば５ｃｍ以上、好ましくは１０ｃｍ以上とされる。
【００２０】
三番竿３の竿本体３０は、継ぎ合わせ部３３よりも前側の部分である前部本体３０ａと、継ぎ合わせ部３３よりも後側の部分である後部本体３０ｂとから構成されている。継ぎ合わせ部３３は印籠継ぎの構成であり、継ぎ合わせ部３３には筒状の印籠芯３４が設けられている。印籠芯３４は後部本体３０ｂの前端部の内側に取り付け固定されている。図４（ｂ）及び図５（ｂ）のように、印籠芯３４の後部は後部本体３０ｂの内側に入り込んでおり、印籠芯３４の前部は後部本体３０ｂから前側に突出している。そして、図４（ａ）及び図５（ａ）のように、後部本体３０ｂから前側に突出した印籠芯３４の前部が前部本体３０ａの後端部の内側に入り込む。尚、図４（ａ）等では、前部本体３０ａの後端面と後部本体３０ｂの前端面との間に隙間が空いているが、前部本体３０ａの後端面と後部本体３０ｂの前端面とが当接する態様であってもよい。前部本体３０ａに固定ガイド３１と遊動ガイド３２が設けられており、後部本体３０ｂには釣糸ガイドが設けられていない。
【００２１】
前部本体３０ａと後部本体３０ｂは、一本の竿本体３０（ブランク）を継ぎ合わせ部３３となる位置で二本に切断することによって形成されたものである。竿本体３０は、各種のプリプレグをマンドレルに巻回して加熱焼成することによって形成されるが、前部本体３０ａと後部本体３０ｂは、それぞれ異なるマンドレルによって形成されたものではなく、一本の共通したマンドレルによって形成されたものである。従って、前部本体３０ａの後端部の外径及び内径は、後部本体３０ｂの前端部の外径及び内径と略等しい。そして、三番竿３の竿本体３０は全体として後側に向けて拡径するテーパ形状であり、継ぎ合わせ部３３においてもテーパ形状となっている。そのため、前部本体３０ａの後端部と後部本体３０ｂの前端部は略連続したテーパ形状となっている。
【００２２】
印籠芯３４は、三番竿３の竿本体３０の継ぎ合わせ部３３におけるテーパ形状に対応したテーパ形状となっており、特に、印籠芯３４の外周面の形状は、三番竿３の竿本体３０の継ぎ合わせ部３３における内周面の形状と対応している。そのため、印籠芯３４は、その前端部において最も小径であり、後端部において最も大径である。また、印籠芯３４の最小内径は二番竿２の竿本体２０の最大外径よりも大きい。従って、印籠芯３４の内側を二番竿２の竿本体２０が挿通できる。二番竿２の竿本体２０は後端部において最大外径となっており、印籠芯３４の前端部の内径は、二番竿２の竿本体２０の後端部の外径よりも大きい。印籠芯３４も各種のプリプレグをマンドレルに巻回して加熱焼成することによって形成される。尚、印籠芯３４は、三番竿３の後部本体３０ｂの後部開口部から前側に挿入され、後部本体３０ｂから前側に所定長さ突出した状態で固定される。
【００２３】
以上のように構成された振り出し竿は、釣りを行う場合には図１のような伸張状態（引き出し状態）とし、保管したり運搬したりする際には図２のような格納状態とする。仕舞寸法が短いので、保管、運搬に便利である。しかも、リールシート４１にリールを取り付けた状態とし、全ての釣糸ガイドにリールから出した釣糸を通しておいて、その先に仕掛けもセットした状態で保管や運搬することもできる。印籠芯３４が筒状であってその内側を二番竿２が挿通できるので、三番竿３が分割竿体であって竿本体３０の内側に印籠芯３４が装着されていても、従来と同様に短い状態に格納することができる。特に、継ぎ合わせ部３３が三番竿３の大径部分である後半部分に設けられているので、二番竿２の後端部の外径寸法を大幅に小径化しなくてもよく、二番竿２から三番竿３にかけての竿の調子を崩さなくて済む。
【００２４】
そして、三番竿３が分割竿体であって前後二つに分割できるので、振り出し竿を水洗いした後に前後二つの部分に分割して干すことができる。即ち、釣行後に振り出し竿を水で洗って乾かす際、図６のように、振り出し竿を継ぎ合わせ部３３よりも前側の部分と、継ぎ合わせ部３３よりも後側の部分に分割することができ、そのような分割状態で干すことができる。継ぎ合わせ部３３よりも前側の部分は、穂先竿１と二番竿２と三番竿３のうち前部竿体３ａとから構成され、継ぎ合わせ部３３よりも後側の部分は、三番竿３のうち後部竿体３ｂと元竿４とから構成される。このように振り出し竿を前後二つの部分に分割して干すことができるので、分割しない状態に比して干しやすく、干す場所の制約が少なくなる。
【００２５】
また、尻栓４２を外すと元竿４の後端部が開口するが、その後端開口部から三番竿３の後部竿体３ｂを抜き出すことができる。即ち、元竿４と三番竿３の後部竿体３ｂも分離できる。そのため、三番竿３の後部竿体３ｂや元竿４を交換することも可能となる。例えば、リールシート４１の種類や位置が異なる別の元竿４に交換することもでき、複数種類の元竿４を準備しておけば、釣行場所や状況に応じて種々選択できる。また元竿４のメンテナンスも容易になる。
【００２６】
更に、三番竿３の前部本体３０ａと後部本体３０ｂとが一本の竿本体３０を切断して構成されたものであるため、製造が容易であり、低コスト化できる。但し、前部本体３０ａと後部本体３０ｂをそれぞれ別々のマンドレルを用いて製造してもよい。
【００２７】
そして、継ぎ合わせ部３３が印籠継ぎの構成であるので、良好な竿の外観が得られると共に、自然な竿の曲がり具合が得られ、穂先竿１から三番竿３まで綺麗なベンディングカーブが得られる。しかも、継ぎ合わせ部３３が三番竿３のうち大径部分である後半部分に設けられていて特には遊動ガイド３２よりも後側に設けられているので、三番竿３の調子が崩れにくく、ガイドセッティングも乱れない。
【００２８】
本実施形態では三番竿３を分割竿体としたが、他の竿体を分割竿体として構成してもよく、他の竿体を分割竿体とした場合でも、振り出し竿を前後二つに分割して干すことができるので、分割できない従来構成に比して短い長さで干すことができる。例えば、中間竿である二番竿２を分割竿体としてもよい。二番竿２を分割竿体とする場合、継ぎ合わせ部の位置は遊動ガイド２２の停止位置よりも後側とし、ジョイント部５よりも前側とする。
【００２９】
元竿４を分割竿体として構成してもよい。元竿４を分割竿体とする場合、継ぎ合わせ部の位置はリールシート４１よりも前側とし、ジョイント部５よりも後側とする。元竿４が分割竿体である場合、元竿４は、リールシート４１を備えていない前部竿体と、リールシート４１を備えた後部竿体とから構成されることになる。そして、後部竿体を他のものに容易に交換できる。例えば、リールシート４１の種類が異なる他の後部竿体に交換したり、竿尻からリールシート４１までの長さ（リールシート４１の位置）が異なる他の後部竿体に交換したりすることができる。
【００３０】
穂先竿１を分割竿体として構成してもよい。穂先竿１を分割竿体とする場合、継ぎ合わせ部の位置は最も後側に位置する遊動ガイド１５の停止位置よりも後側とし、ジョイント部５よりも前側とする。このように穂先竿１が分割竿体である場合、穂先竿１は、トップガイド１１及び遊動ガイド１２，１３，１４，１５を備えた穂先竿１の主要部分である前部竿体と、釣糸ガイドを備えていない後部竿体とから構成される。そして、穂先竿１の前部竿体を他の前部竿体に交換することができる。例えば、穂先の調子を変えたい場合には、釣り人自らが、穂先竿１の前部竿体を調子の異なる他の前部竿体に交換すればよい。
【００３１】
尚、継ぎ合わせ部３３を複数の竿体に設けてもよく、継ぎ合わせ部３３は二箇所以上であってもよい。
【符号の説明】
【００３２】
１    穂先竿
２    二番竿（中間竿）
３    三番竿（中間竿、元上竿、分割竿体）
３ａ  前部竿体
３ｂ  後部竿体
４    元竿
５    ジョイント部
１０    竿本体
１１    トップガイド
１２    遊動ガイド
１３    遊動ガイド
１４    遊動ガイド
１５    遊動ガイド
２０    竿本体
２１    固定ガイド
２２    遊動ガイド
３０    竿本体
３０ａ  前部本体
３０ｂ  後部本体
３１    固定ガイド
３２    遊動ガイド
３３    継ぎ合わせ部
３４    印籠芯
４０    竿本体
４１    リールシート
４２    尻栓
【図１】
2018191524.tif 000003
【図２】
2018191524.tif 000004
【図３】
2018191524.tif 000005
【図４】
2018191524.tif 000006
【図５】
2018191524.tif 000007
【図６】
2018191524.tif 000008